(57)【要約】【課題】日付印の日付を正確に自動であわせることができる日付印ユニットを提供する。【解決手段】本発明の日付印ユニットは、日付印本体と、日付印本体の内部に組み込まれる回転印体と、日付印本体との相対移動により回転印体の回転を制限する回転制限部と、日付印本体と回転制限部の何れか一方に設けられた被係止部と、何れか他方に設けられた被案内部とを有する日付印と、日付印を収納する収納部と、時計部と、時計部の時計情報に基づいて、収納部に収納された日付印の回転印体を回転させ、印面に現れる日付印字を制御する回転駆動制御部とを有する日付制御装置とを備える日付印ユニットにおいて、日付制御装置の収納部が、収納される日付印の被係止部を係止する係止部と、被案内部を係止部に係止された被係止部に対し、回転制限部が回転印体の回転制限を解除させる方向へ相対移動させる案内部とを有することを特徴とする。【選択図】      図１
2010017910.tif 000002
【特許請求の範囲】
【請求項１】
日付印本体と、上記日付印本体の内部に組み込まれる回転印体と、上記日付印本体との相対移動により上記回転印体の回転を制限する回転制限部と、上記日付印本体と上記回転制限部の何れか一方に設けられた被係止部と、何れか他方に設けられた被案内部とを有する日付印と、
上記日付印を収納する収納部と、時計部と、上記時計部の時計情報に基づいて、上記収納部に収納された上記日付印の上記回転印体を回転させ、印面に現れる日付印字を制御する回転駆動制御部とを有する日付制御装置と
を備える日付印ユニットにおいて、
上記日付制御装置の上記収納部が、
収納される上記日付印の上記被係止部を係止する係止部と、
上記被案内部を上記係止部に係止された被係止部に対し、上記回転制限部が上記回転印体の回転制限を解除させる方向へ相対移動させる案内部と
を有することを特徴とする日付印ユニット。
【請求項２】
上記収納部及び上記被案内部は、両者が相対移動して上記回転印体の回転制限が解除された状態を維持する回転制限解除維持部をさらに備えた請求項１に記載の日付印ユニット。
【請求項３】
日付印本体と、上記日付印本体の内部に組み込まれる複数の印字ベルトを有する回転印体とを有する日付印と、
上記日付印を収納する収納部と、時計部と、上記時計部の時計情報に基づいて、上記収納部に収納された上記日付印の上記回転印体を回転させ、印面に現れる日付印字を制御する回転駆動制御部とを有する日付制御装置と
を備える日付印ユニットにおいて、
上記回転駆動制御部が、モータと、上記モータの回転方向に応じて結合する回転駆動機構部が異なるクラッチ機構部と、上記クラッチ機構部の回転力により上記回転印体の上記各印字ベルトを回転駆動させる回転駆動機構部とを有することを特徴とする日付印ユニット。
【請求項４】
上記回転駆動制御部が、モータと、上記回転印体の上記印字ベルトの何れかを回転駆動させる回転駆動機構部と、上記モータと直接又は間接に接続し、かつ、２つの上記回転駆動機構部と直接接続し、上記モータの回転方向に応じて結合する上記回転駆動機構部が変わるクラッチ機構部とを有するものであることを特徴とする日付印ユニット。
【請求項５】
１つの上記クラッチ機構部に接続された２つの上記回転駆動機構部によって回転される回転印体の各印字ベルトは、刻印された印字の刻印順序が互いに逆であることを特徴とする請求項４に記載の日付印ユニット。
【請求項６】
上記回転駆動制御部は、１個のモータと、１個のクラッチ機構部と、上記モータの回転方向に応じて回転駆動が異なる２個の回転駆動機構部とを、一対の印字ベルトを回転させる回転駆動機構とすることを特徴とする請求項３〜５のいずれかに記載の日付印ユニット。
【請求項７】
回転印本体と、上記回転印本体の内部に組み込まれる回転印体と、上記回転印本体との相対移動により上記回転印体の回転を制限する回転制限部と、上記回転印本体と上記回転制限部の何れか一方に設けられた被係止部と、何れか他方に設けられた被案内部とを有する日付印と、
上記回転印を収納する収納部と、上記回転印の印面に現す印字を決定する印面決定部と、上記印面決定部の決定結果に基づいて、上記収納部に収納された上記回転印の上記回転印体を回転させ、印面に現れる印字を制御する回転駆動制御部とを有する印面制御装置と
を備える回転印ユニットにおいて、
上記印面制御装置の上記収納部が、
収納される上記回転印の上記被係止部を係止する係止部と、
上記被案内部を上記係止部に係止された被係止部に対し、上記回転制限部が上記回転印体の回転制限を解除させる方向へ相対移動させる案内部と
を有することを特徴とする回転印ユニット。
【発明の詳細な説明】
【技術分野】
【０００１】
本発明は、日付印ユニット及び回転印ユニットに関し、例えば、回転日付印の印面に現れる印字ベルトの印字位置を自動的に調整し、日付あわせを行なう日付印ユニットに適用し得るものである。
【背景技術】
【０００２】
従来から日付印はよく知られており、特にオフィスにおいて幅広く使用されている。従来の日付印は、特許文献１に記載のように、年、月、日、時等が刻印された複数の印字ベルトを有し、マスタ印体と印字ベルトの印字面の高さを同一面にして使用するものである。そして、日付印を利用する利用者は、マスタ印体の固着されている外枠を移動させ、手動で各印字ベルトを回転させて、日付あわせを行っている。
【０００３】
この利用者による手動の日付あわせの手間を解消するために、特許文献２に記載のように、回転日付印本体が駆動装置を有し、この駆動装置の駆動により印字ベルトを回転させ、印字ベルトの印字位置を自動的に切り換える技術が記載されている。
【０００４】
しかしながら、特許文献２の記載技術の場合、回転日付印の本体が駆動装置を搭載するものであるので、回転日付印自体のサイズが大きくなってしまう。一般に印章を押印する際、ねらい定めた位置に押印する必要があるが、日付印本体のサイズが大きくなってしまうと、押印位置のねらいが定まりにくく使い勝手に影響が生じ得る。
【０００５】
また、特許文献３には、日付切り換え時に計時回路からの信号に応じて、日付印の日付設定を行う日付設定装置に関する技術が記載されており、特に、図５においては、日付設定装置を搭載した器具と日付印とを別構成とすることが記載されている。
【０００６】
【特許文献１】特開２０００−３１８２８２号公報
【特許文献２】実開平２−１０８０５５号公報
【特許文献３】実開昭５９−４８８６４号公報
【発明の開示】
【発明が解決しようとする課題】
【０００７】
ところで、上述したように、日付印を利用する利用者にとって、毎日の日付あわせの手間や日付の合せ間違いなどを回避することが必要であるから、自動的に日付あわせを正確に行う日付印セットが強く望まれている。
【０００８】
また、従来の日付印の日付あわせを行う際、マスタ印体が固着されている外枠を移動させ、印字ベルトを露呈してから、印字ベルトを回転させることが必要となるが、印字ベルトの回転駆動を行うコントローラを日付印と別体で設ける場合、どのようにして日付印が有する上記外枠を移動させるかが問題となる。
【０００９】
さらに、日付印の印字ベルトを回転駆動させる際、効率的に回転駆動を行うことが望まれる。
【００１０】
また、日付印は日付証拠の確認印としての機能を有するため、安易な日付改ざんを防止する観点から、むやみに変更できるものとするよりも、ある程度の日付変更に制限を設けることを望む要望もある。
【００１１】
本発明は、上記の課題に鑑みたものであり、日付印の日付を正確に自動であわせることができる日付印ユニットを提供するものである。
【００１２】
また、回転日付印の印面を設定通りに正確に自動であわせることができる回転印ユニットを提供するものである。
【課題を解決するための手段】
【００１３】
かかる課題を解決するために、第１の本発明の日付印ユニットは、日付印本体と、日付印本体の内部に組み込まれる回転印体と、日付印本体との相対移動により回転印体の回転を制限する回転制限部と、日付印本体と回転制限部の何れか一方に設けられた被係止部と、何れか他方に設けられた被案内部とを有する日付印と、日付印を収納する収納部と、時計部と、時計部の時計情報に基づいて、収納部に収納された日付印の回転印体を回転させ、印面に現れる日付印字を制御する回転駆動制御部とを有する日付制御装置とを備える日付印ユニットにおいて、日付制御装置の収納部が、収納される日付印の被係止部を係止する係止部と、被案内部を係止部に係止された被係止部に対し、回転制限部が回転印体の回転制限を解除させる方向へ相対移動させる案内部とを有することを特徴とする。
【００１４】
第２の本発明の日付印ユニットは、日付印本体と、日付印本体の内部に組み込まれる複数の印字ベルトを有する回転印体とを有する日付印と、日付印を収納する収納部と、時計部と、時計部の時計情報に基づいて、収納部に収納された日付印の回転印体を回転させ、印面に現れる日付印字を制御する回転駆動制御部とを有する日付制御装置とを備える日付印ユニットにおいて、回転駆動制御部が、モータと、モータの回転方向に応じて結合する回転駆動機構部が異なるクラッチ機構部と、クラッチ機構部の回転力により回転印体の各印字ベルトを回転駆動させる回転駆動機構部とを有することを特徴とする。
【００１５】
第３の本発明の回転印ユニットは、回転印本体と、回転印本体の内部に組み込まれる回転印体と、回転印本体との相対移動により回転印体の回転を制限する回転制限部と、回転印本体と回転制限部の何れか一方に設けられた被係止部と、何れか他方に設けられた被案内部とを有する日付印と、回転印を収納する収納部と、回転印の印面に現す印字を決定する印面決定部と、印面決定部の決定結果に基づいて、収納部に収納された回転印の回転印体を回転させ、印面に現れる印字を制御する回転駆動制御部とを有する印面制御装置とを備える回転印ユニットにおいて、印面制御装置の収納部が、収納される回転印の被係止部を係止する係止部と、被案内部を係止部に係止された被係止部に対し、回転制限部が回転印体の回転制限を解除させる方向へ相対移動させる案内部とを有することを特徴とする。
【発明の効果】
【００１６】
本発明の日付印ユニットによれば、日付印の日付を正確に自動であわせることができる。
【００１７】
本発明の回転印ユニットによれば、回転印の印面を適切な状態へ正確に自動であわせることができる。
【発明を実施するための最良の形態】
【００１８】
（Ａ）第１の実施形態
以下では、本発明に係る日付印ユニット及び回転印ユニットの一実施形態としての第１の日付印ユニットを、図面を参照しながら説明する。
【００１９】
（Ａ−１）全体構成
図１は、第１の実施形態の日付印ユニットの外観構成のイメージを示す外観斜視図である。図１に示すように、第１の実施形態の日付印ユニット３は、日付印１、コントローラ２とを有して構成されるものである。
【００２０】
日付印１は、年、月、日等の印字が刻印された複数の印字ベルトを有する回転日付印である。日付印１は、コントローラ２にセットすると、コントローラ２の回転駆動を受け、印字ベルトが回転して日付あわせを行うものである。日付印１は、既存の回転日付印を用いるようにしてもよいが、第１の実施形態では、コントローラ２に回転駆動を受ける専用の回転日付印を用いることとする。この専用の日付印１の構成については後述する。
【００２１】
コントローラ２は、時計部の日付変更に合わせて、セットされた日付印１の印字ベルトを回転させ、日付印１の印面に現れる日付を自動的に変更するものである。コントローラ２は、日付印１を収納する収納部分２０を有し、この収納部分２０に日付印１が収納されると、その日付印１を日付あわせの対象とする。
【００２２】
図１（Ａ）は、コントローラ２から日付印１を取り出した状態の構成図である。日付印１を使用する場合、コントローラ２から図１（Ａ）に示すように、コントローラ２から取り外して日付印１を用いる。
【００２３】
図１（Ｂ）は、日付印１をコントローラ２にセットした状態の構成図である。例えば、業務が終了後に、日付印１をコントローラ２に収納する際の状態である。この状態にして日付が変更されると、コントローラ２が日付印１の印字ベルトを回転させて日付を自動的に合わせるようにする。
【００２４】
なお、図１（Ａ）及び（Ｂ）に示すコントローラ２の外観構成は一例であり、この外観構成に限定されるものではない。従って、図１（Ａ）及び（Ｂ）では、コントローラの２の中央部に日付印１を収納する場合を例示するが、中央部以外に収納するようにしても良い。また、図１（Ａ）及び（Ｂ）では、日付印１の横置き型を例示するが、縦置きや斜めから日付印１を差し入れる構成としてもよい。
【００２５】
（Ａ−２）日付印１の構成について
図２は、日付印１の構成図である。図２（Ａ）及び（Ｂ）は、日付印１の外観斜視図であり、図２（Ｃ）は、日付印１の断面構成図である。
【００２６】
図２（Ａ）及び（Ｂ）において、日付印１の外観構成は、日付印本体１１、取手部１２、対向側面に１対の第１凸部１３、外枠１４、対向側面に１対の第２凸部１５、操作孔１６、マスタ印体１７を少なくとも有するものである。
【００２７】
日付印本体１１は、その内部に、年、月、日等の印字が刻印された複数の印字ベルト４２を回転させる回転印体４３が組み込まれている。この回転印体４３の機構は、既存の回転日付印と同様の機構を用いることができるので詳細な説明は省略するが、例えばコ字状の枠体の中間位置に複数の回転子４１を軸にて回転可能に軸支し、この回転子と枠体の下端に設けた橋架片との間に回転子と同数の印字ベルト４２を懸装してなるものを用いることができる。
【００２８】
ここで、従来の回転日付印は、日付印本体に印字ベルトの数に相当する縦長の操作孔１６（図２（Ａ）及び（Ｃ）参照）が設けられており、この操作孔１６から各印字ベルト４２の回転子４１を突出させている。これは、日付あわせの際、利用者が手動でこの回転子を回転できるようにするためである。
【００２９】
これに対して、第１の実施形態の日付印１は、図２のように、各回転子数に相当する操作孔１６を設けるが、この操作孔１６から各回転子４１が外側に突出させない構成とする。例えば、図２（Ｃ）のように、回転子４１が、日付印本体１１の内部に納まっており、操作孔１６から突出していない。
【００３０】
このように、各印字ベルト４２を回転させる回転子４１を外側に突出させないようにすることで、利用者が容易に回転子４１を回転させることができず、安易な日付改ざんを防止することができる。
【００３１】
なお、日付改ざん防止の観点から、安易に印字ベルト４２が露出しないように、所定の鍵を設けるようにしてもよい。
【００３２】
また、日付印本体１１の先端部には、外枠１４が結合されている。また、外枠１４の印面側にはマスタ印体１７が固着されている。マスタ印体１７は、一般に円形のマスタ印受部の下面に貼付してなるものであり、マスタ印体１７の中央に窓穴が設けられており、この窓穴から印字ベルトが露呈する。
【００３３】
ここで、日付印本体１１と外枠１４との結合は、図２（Ａ）及び（Ｃ）のように、日付印本体１１には対向側面にそれぞれ長孔１８が設けられており、外枠１４にも対向側面にそれぞれ孔が設けられている。そして、外枠１４の一方の孔からボルトを挿入し、日付印本体１１の長孔１８にボルトを貫通させ、外枠１４の他方の孔から突出したボルトにナットを螺合することにより結合させる。
【００３４】
日付印本体１１に外枠１４を結合させることにより、外枠１４は、日付印本体１１に対して相対移動ができるものとなる。また、外枠１４が日付印本体１１から離れている場合には印字ベルトの回転が可能となるが、外枠１４が日付印本体１１から離れていない場合には印字ベルトの回転を制限することとなる。
【００３５】
このように、外枠１４は、マスタ印体１７とその窓穴から日付を示す印字とを印面上で一体とさせる役割と、印字ベルトの回転を制限する役割とを備えるものである。
【００３６】
対向側面の１対の第１凸部１３及び対向側面の１対の第２凸部１５は、後述するように、日付印１をコントローラ２に収納する際に、外枠１４と日付印本体１１とを相対移動させて、回転制限を解除する際に寄与するものである。
【００３７】
（Ａ−３）コントローラ２の構成について
次に、コントローラ２の構成について図３を参照しながら説明する。図３に示すように、コントローラ２は、ディスプレイ部２１、調整部２２、時計部２３、制御部２４、回転駆動制御部２５、回転駆動機能２６、表示制御部２７を少なくとも有して構成するものである。
【００３８】
時計部２３は、時刻計時するものである。少なくとも現在の年月日が分かるものであれば、広く適用することができる。例えば、一般的な電動式時計や電波時計などを適用できる。
【００３９】
調整部２２は、利用者操作を受けて、日付印１の日付や時計部２３の日時の変更調整を行なうものである。調整部２２による調整の仕方としては、年、月、日のそれぞれについて調整ボタンを設け、各調整ボタンを押下することにより、年、月、日をそれぞれ調整する方法を適用できる。
【００４０】
制御部２４は、コントローラ２の機能を司るものである。制御部２４は、時計部２３が計時する時刻を監視しており、時計部２３の日付変更に応じて、その日付印１の日付あわせを行なうものである。
【００４１】
回転駆動制御部２５は、制御部２４の制御の下、時計部２３により日付変更された旨を受けると、日付印１の印字ベルトの回転子を回転させる回転駆動機構２６の動作を制御するものである。
【００４２】
回転駆動機構２６は、回転駆動制御部２５の制御を受けて、セットされた日付印１の各印字ベルトの回転子を回転駆動するものであり、例えば、駆動源として１又は複数のモータと、このモータの駆動力により回転する複数の歯車を有して構成されるものである。
【００４３】
第１の実施形態では、コントローラ２にセットする日付印１は、操作孔１６から回転子が突出していない構成としている。そのため、日付印１の回転子を回転させる回転駆動機構２６の歯車は、日付印１の格納部分において突出しており、セットされた日付印１の操作孔１６に挿入して、日付印１の回転子と結合する構成である。
【００４４】
ここで、回転駆動制御部２５による日付あわせのアルゴリズムを説明する。図８は、回転駆動制御部２５による初期状態の日付あわせの例を示すフローチャートである。
【００４５】
回転駆動制御部２５は、前提として、日付印１の各印字ベルトに刻印された印字を１つ変更するための回転数が予め設定されている。
【００４６】
まず、製品出荷時の日付印１の印面には、予め設定された日付が現れるように設定されている（ステップＳ１０１）。例えば、製品出荷時には、「０８年０１月０１日」を表す日付が必ず印面に来るように設定されている。
【００４７】
そして、初期セット時、日付印１がコントローラ２にセットされ（ステップＳ１０２）、利用者により所定の初期ボタンが押下されると（ステップＳ１０３）、回転駆動制御部２５は、時計部２３の計時する現在の「年月日」と、製品出荷時の「年月日」とのそれぞれの差分を計算し（ステップＳ１０３）、各差分に相当する回転数だけ回転駆動機構２６を回転させるように制御する（ステップＳ１０４）。
【００４８】
例えば、製品出荷時の設定「年月日」が「０８年０１月０１日」であって、初期セット時の「年月日」が「０８年０７月０９日」であれば、回転駆動制御部２５は、「年」については、製造出荷時と現在とで同じであるから回転させないようにし、「月」については、「６月」だけ異なるので、「６月」分だけ回転させるようにし、「日」については、「８日」だけ異なるので、「８日」分回転させるようにする。
【００４９】
また、通常使用時においては、日付印１がコントローラ２にセットされると、回転駆動制御部２５が、時計部２３が計時する日付が変更したことを受けて（例えば、ＡＭ０時になることで）、「日」についての「１日」分だけ回転するように回転駆動機構２６を制御する。
【００５０】
ここで、回転駆動制御部２５は、何年何月何日に日付印１の印字ベルトを何回だけ回したかを記憶する機能を有する。このようにすることで、前回日付あわせを行なった日を記憶することができる。
【００５１】
このとき、前回日付あわせを行なった日と現在の日にちとが異なる場合、日付印１のセットのし忘れなどが考えられる。この場合、回転駆動制御部２５は、前回の日付あわせを行なった日が現在の日にちと異なる場合、前回の日付合わせを行なった日を基準日として時計部２３の年月日との差分を求め、その差分に応じた回転数で回転制御するようにしてもよい。
【００５２】
また、回転駆動制御部２５は、日付印１がセットされていない場合には、通常の日付あわせを行なわないようにする。そのためには、日付印１がセットされたか否かを検知する検知部を備える必要がある。そして、この検知部が日付印１のセットを検出した場合、回転駆動制御部２５はモータを駆動させて必要な回転数だけ歯車を回転させるが、そうでない場合、時計部２３による日付変更を検知しても、回転駆動制御部２５はモータを駆動させないようにする。
【００５３】
さらに、コントローラ２がセットされている日付印１の印面に現れている印字を認識する方法としては、種々の方法を適用することができるが、例えば、印面の画像を取り込み、その画像から印面の日付を認識する方法や、また例えば、各印字ベルトに予め印字を認識させる識別突起を付しておき、コントローラ２がこの識別突起を認識する方法を適用することができる。このように、コントローラ２が日付印１の印面に現れている印字を認識することで、日付印１の印面上の日付と時計部２３の計時する年月日との差分に応じて回転制御することができる。
【００５４】
表示制御部２７は、ディスプレイ部２１への表示機能を制御するものである。ディスプレイ部２１は、時計部２３が計時する時刻を表示したり、文字（例えば簡単な操作方法など）、記号（例えば、日付印１のセット検知表示を示す記号など）を表示したりするものである。
【００５５】
（Ａ−３）日付印１の外枠１４を解除する機構について
上述したように、外枠１４は、日付印本体１１との間で相対移動が可能なものであり、日付印本体１１に近い側に移動した場合、日付印１の印字ベルトの回転を制限することができ、日付印本体１１から離れて移動した場合、日付印１の印字ベルトの回転制限を解除することができる。
【００５６】
従って、コントローラ２に日付印１をセットし、コントローラ２の回転駆動機構２６により日付印１の印字ベルトを回転させるためには、外枠１４が日付印本体１１から離れる方向に相対移動していることが必要となる。
【００５７】
そこで、以下では、コントローラ２に日付印１がセットされる際に、日付印１の外枠１４を解除する機構について図面を参照しながら説明する。
【００５８】
図４は、図１に示すコントローラ２のＡ−Ａ断面を示す断面図である。図４では、日付印１のセットする様子も示している。
【００５９】
図４に示すように、コントローラ２は、外枠解除機構２００を設けている。この外枠解除機構２００は、コントローラ２における日付印１を格納する部分の両側に１対として設けられるものである。なお、図４では、説明便宜上、一方の外枠解除機構２００のみを示している。
【００６０】
外枠解除機構２００は、係止部２０１、スライド部（案内部）２０２を少なくとも有するものであり、また回転制限解除維持部としての嵌合部２０３も有して構成されるものである。
【００６１】
また、上述したように、日付印１は、対向側面に１対の第１凸部１３及び第２凸部１５を有するものである。
【００６２】
日付印１をコントローラ２にセットする際、図４（Ａ）に示すように、日付印１の先端を斜めに傾けて、日付印１の第２凸部をコントローラ２の外枠解除機構２００の係止部２０１に係止させるようにして格納する。このとき、第２凸部１５は、被係止部として係止部２０１に係止する。
【００６３】
そして、コントローラ２の格納部分に日付印を格納する際、日付印１の取手部１２に格納するときに係る荷重（作用力）が生じると、第１凸部１３は、外枠解除機構２００のスライド部１３に接し、スライド部２０２上をスライドすることで、係止部２０１に係止している第２凸部１５に荷重が生じ、日付印本体１１が外枠１４から引き離す方向に荷重が作用する（図４（Ｂ）参照）。
【００６４】
このように、第２凸部１５に生じる荷重により、日付印本体１１が外枠１４から離れる方向に相対移動させることができるので、印字ベルトの回転制限を解除することができる。
【００６５】
また、図４に示すように、第１の実施形態では、外枠解除機構２００が回転制限解除維持部としての嵌合部２０３を設けており、スライド部２０３上をスライドした日付印１の第１凸部１３は嵌合部２０３に嵌合する。
【００６６】
ここで、外枠解除機構２００の構成は、図４に示す構成に限定されない。例えば、図４に示す外枠解除機構２００の係止部２０１と、スライド部２０２及び嵌合部２０３との位置を逆にしてもよい。
【００６７】
この場合、図４に示す支点及び作用点が逆になる。つまり、第１凸部１３が被係止部として係止部２０１に係止して支点となり、日付印１の先端に作用点が生じ、第２凸部がスライド部２０２をスライドすることで、外枠１４が日付印本体１１から離れる方向に荷重が生じて相対移動する。
【００６８】
また、第１の実施形態では、日付印１が、被係止部又は被嵌合部として機能する突起（第１凸部１３及び第２凸部１５）を備えることとしたが、被係止部又は被嵌合部として機能できるのであれば、突起ではなく凹部を設けるようにしてもよい。この場合、コントローラ２の外枠解除機構２００は、日付印１の凹部に対応した凸部を係止部又は嵌合部とする必要がある。また、外枠解除機構２００である係止部及びスライド部が溝構造により形成されており、日付印１の第２凸部１５が溝に沿って移動するような構成をとってもよい。
【００６９】
（Ａ−４）クラッチ機構について
一般に、日付印１は、年、月、日等の各印字ベルトが必要となるため、少なくとも４本程度の印字ベルトを有するものとなる。従って、各印字ベルトを回転させるためには、コントローラ２の回転駆動機構２６は多くのモータを備えることが必要となり、また歯車の組み合わせ数も複雑になってしまい、モータの回転量も多くなってしまう。
【００７０】
そうすると、コントローラ２自体のサイズが大きくなってしまい、利用者の使い勝手が良くない。また、モータによる消費電力も大きくなってしまう。
【００７１】
そこで、以下では、回転駆動機構２６における回転動作を効率的に行なうクラッチ機構について図面を参照して説明する。
【００７２】
図５は、回転駆動機構２６が備えるクラッチ機構を説明する説明図である。図５に示すように、第１の実施形態のクラッチ機構３０は、モータ（図示省略）と接続する大歯車３１と、この大歯車３１よりも小さい小歯車３２とが結合軸３５により結合してなる歯車ユニット３６を構成する。
【００７３】
勿論、クラッチ機構の構成は、図５に限定されるものではなく、３個以上の歯車を結合させて構成するようにしてもよい。
【００７４】
大歯車３２は、モータの駆動力を受けて、モータの回転方向に応じて回転するものである。
【００７５】
また、歯車ユニット３６において、大歯車３１は小歯車３２に比べて十分に大きい歯車であるから、大歯車３１の回転方向（モータの回転方向）に応じて、大歯車３２と結合する小歯車３２を移動させることができ、小歯車３２と結合させる歯車３３又は歯車３４を選択することができる。
【００７６】
例えば、図５（Ａ）では、大歯車３１が時計回り方向に回転（以下では、正転ともいう）した場合（Ｓ１）、小歯車３２は大歯車３１の回転方向に移動する（Ｓ２）。そうすると、小歯車３２は、大歯車３１の回転方向側（図５（Ａ）の右側）に設けられた歯車３３と結合し、大歯車３１の回転により歯車３３を回転駆動させることができる（Ｓ３）。
【００７７】
また例えば、図５（Ｂ）では、大歯車３１が反時計周り方向に回転（以下では、逆転ともいう）した場合（Ｓ４）、小歯車３２は大歯車３１の回転方向に移動する（Ｓ５）。そうすると、小歯車３２は、大歯車３１の回転方向（図５（Ｂ）の左側）に設けられた歯車３４と結合し、大歯車３１の回転により歯車３４を回転駆動させることができる（Ｓ６）。
【００７８】
第１の実施形態では、上述した歯車ユニット３６の原理を利用して、セットされた日付印１の印字ベルトを回転させる。
【００７９】
具体的な例としては、大歯車３１の正転方向側に設けられている歯車３３を、日付印１の「日」の印字ベルトを回転させる歯車として機能させ、逆転方向側に設けられている歯車３４を、日付印１の「月」の印字ベルトを回転させる歯車として機能させるようにする。
【００８０】
このようにすることで、モータ数を減らすことができるので、コントローラ２のサイズを小さくすることができる。また、正転の場合と逆転の場合とでそれぞれ異なる機能を作用させることができるので、モータの回転量を有効に利用することができる。
【００８１】
ここで、上記例のように、正転と逆転とで異なる印字ベルトを回転させる場合、各歯車３３及び３４は、大歯車３１の回転方向と同じ方向に回転するため、大歯車３１の回転方向によって、印字ベルトの回転方向も異なる。図６は、この様子を説明する説明図である。
【００８２】
図６（Ａ）は、歯車３３がセットされた日付印１の回転子４１と結合して印字ベルト４２を回転させる場合の様子を示し、図６（Ｂ）は、歯車３４がセットされた日付印１の回転子４１と結合して印字ベルト４２を回転させる場合の様子を示す。
【００８３】
図６（Ａ）に示すように、歯車３３は、大歯車３１と同じ回転方向に回転するから、時計回りに回転する。従って、日付印１の回転子４１は反時計周りに回転し、印字ベルト４２も反時計周りに回転する。
【００８４】
一方、図６（Ｂ）に示すように、歯車３４は、大歯車３１と同じ回転方向に回転するから、反時計回りに回転する。従って、日付印１の回転子４１は時計周りに回転し、印字ベルト４２も時計周りに回転する。
【００８５】
このように、第１の実施形態のクラッチ機構（歯車ユニット３６）を用いると、印字ベルトは、正転と逆転とで異なる方向に回転することになり、印面上の現れる印字の出現順序が異なってしまう。例えば、一方の印字ベルトの印字の出現順序は、「０→１→２→…→９→０→…」となるが、他方の印字ベルトの印字の出現順序は、「０→９→８→…→１→０→…」となってしまう。
【００８６】
そこで、第１の実施形態では、正転させる印字ベルトと逆転させる印字ベルトとの間で、印字ベルトに印字する刻印順序を逆に刻印したものを用いるようにする。
【００８７】
つまり、図７（Ａ）に示すように、正転させる印字ベルトの刻印順序は、上から「…→４→３→２→１→０→…」とし、図７（Ｂ）に示すように、逆転させる印字ベルトの刻印順序は、上から「…→０→１→２→３→４→…」とする。
【００８８】
このようにすることで、正転の場合と逆転の場合でも印面に現れる印字の出現順序を同じにすることができる。
【００８９】
また、回転駆動制御部２５は、このように印字の出現順序を同じにすることができるので、正転の場合と逆転の場合とで区別することなく、同様の方法で回転数を制御することができる。
【００９０】
（Ａ−５）第１の実施形態の効果
以上のように、第１の実施形態によれば、日付印１の印面に現れる日付を自動で正確にあわせることができる。
【００９１】
また、第１の実施形態によれば、外枠解除機構を備えることにより、コントローラ２に日付印１をセットする際に、印字ベルトの回転を制限する外枠１４を、簡単に日付印本体１１から離れる方向に相対移動させることができるので、セットと同時に印字ベルトの回転制限を解除することができる。
【００９２】
さらに、第１の実施形態によれば、回転駆動機構２６がクラッチ機構（歯車ユニット３６）を備えることにより、大歯車の回転方向に応じて、異なる歯車と結合させることができ、それぞれ異なる機能を作用させることができる。
【００９３】
また、この場合、印字ベルトの回転方向に応じて、印字ベルトに刻印する印字の刻印順序を変えることにより、正転又は逆転の場合でも同様の回転駆動制御を適用することができる。
【００９４】
またさらに、日付印１の印字ベルトを回転させる回転子を、操作孔から外側に突出させないようにすることで、安易な日付改ざんを防止することができる。
【００９５】
（Ｂ）他の実施形態
上述した第１の実施形態においても種々の変形実施形態を挙げたが、それ以外の変形実施形態を以下で説明する。
【００９６】
（Ｂ−１）第１の実施形態では、日付印１とコントローラ２とを１対１で対応付けた場合を前提として説明するが、コントローラ２が複数の日付印１にも対応できるようにしても良い。
【００９７】
この場合、複数の日付印１のそれぞれに自己を特定する識別情報（例えばＩＤ等）をＩＣチップなどに記憶させておき、コントローラ２が、セットされた識別情報を読み取り、この識別情報に基づいて各日付印１の日付あわせ管理を行なうようにしてもよい。例えば、日付印１ごとに前回の日付あわせを行なった日を記憶したり、日付あわせを行なう時間（例えば、ある日付印はＡＭ０時とし、別の日付印１はＡＭ１時としてもよい）や、制限（例えば、土日は行なわない）などの情報も設定できようにしても良い。
【００９８】
また、コントローラ２は、セットされた日付印１の識別情報に基づいて、当該日付印１が管理していないものであると判断した場合、当該セットされた日付印１の日付あわせを行なわないようにすることができる。
【００９９】
（Ｂ−２）クラッチ機構を用いて日付印の印字ベルトを回転させる機構を例示したが、この場合、回転駆動の対象とする日付印は、例えば、タイムカードシステムの回転日付印も含む概念である。
【０１００】
（Ｂ−３）印面と対向する位置に印面を撮像する画像センサを設け、制御部２４は例えば日付調整作業後に当該画像センサを用いて印面に現されている日付を確認し、設定（現在の日付）と印面に現されている日付とが同一であるか否か判断してもよい。そして、同一でない場合には両者の差分を計算し、当該差分に応じただけ回転駆動制御部２５に日付印１の回転子４１を回転させるよう指示するとよい。これにより、印面をより正確な状態にし得る。
【０１０１】
（Ｂ−４）上記日付印を回転印に適用することも当然に可能である。この場合、時計部２３は特に必要はなく、制御部２４が所定のルールに従って印面を調整すればよい。また、調整部２２から入力された利用者の指示に基づいて印面を調整してもよい。
【図面の簡単な説明】
【０１０２】
【図１】第１の実施形態の日付印ユニットの構成を示す構成図である。
【図２】第１の実施形態の日付印の構成を示す構成図である。
【図３】第１の実施形態のコントローラの構成を示す構成図である。
【図４】第１の実施形態の外枠解除機構を説明する説明図である。
【図５】第１の実施形態のクラッチ機構を説明する説明図である。
【図６】第１の実施形態のクラッチ機構に結合する回転駆動機構による印字ベルトの回転方向を説明する説明図である。
【図７】第１の実施形態の印字ベルトに刻印される印字の刻印順序を説明する説明図である。
【図８】第１の実施形態の回転駆動制御部による初期状態の日付あわせの処理を説明するフローチャートである。
【符号の説明】
【０１０３】
１…日付印、２…コントローラ、３…日付印ユニット、１１…日付印本体、１２…取手部、１３…第２凸部、１４…外枠、１５…第１凸部、１６…操作孔、１７…マスタ印体、１８…長孔、４１…回転子、４２…印字ベルト、４３…回転印体、２０…収納部分、２１…ディスプレイ部、２２…調子得部、２３…時計部、２４…制御部、２５…回転駆動制御部、２６…回転駆動機構、２７…表制御部、２００…外枠解除機構、２０１…係止部、２０２…スライド部、２０３…嵌合部、３０…クラッチ機構、３１…大歯車、３２…小歯車、３３及び３４…歯車、３５…軸結合、３６…歯車ユニット。
【図１】
2010017910.tif 000003
【図２】
2010017910.tif 000004
【図３】
2010017910.tif 000005
【図４】
2010017910.tif 000006
【図５】
2010017910.tif 000007
【図６】
2010017910.tif 000008
【図７】
2010017910.tif 000009
【図８】
2010017910.tif 000010